(57)【要約】電池劣化推定に優れた劣化推定方法を提供することである。劣化推定方法は、電池の充電状態を計算可能に構成された電池制御装置の停止時間を検出し、設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する。
2015141500.tif 000002
【特許請求の範囲】
【請求項１】
電池の充電状態を計算可能に構成された電池制御装置の停止時間を検出し、
設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する劣化推定方法。
【請求項２】
前記電池制御装置と通信可能に構成された停止監視装置が、前記電池制御装置の停止中の前記環境温度を検出し、前記電池制御装置の停止時刻及び再起動時刻から前記停止時間を検出し、前記電池制御装置の再起動後に前記電池制御装置に対して前記停止時間及び前記環境温度を通知し、
前記電池制御装置は、停止前及び再起動後のうちの少なくとも一方で電池の充電状態を計算し、前記第１の劣化情報データベースに基づき、前記計算充電状態及び前記環境温度に対応する劣化情報を取得し、取得された劣化情報に基づき前記停止時間の前記電池の劣化を推定する請求項１の劣化推定方法。
【請求項３】
前記電池制御装置は前記電池制御装置の停止中に動作可能なタイマーを備え、前記タイマーが前記停止時間を検出し、
前記電池制御装置は、停止前及び再起動後のうちの少なくとも一方で電池の充電状態及び温度を検出し、前記第１の劣化情報データベースに基づき、前記計算充電状態及び前記検出温度に対応する劣化情報を取得し、取得された劣化情報に基づき前記停止時間の前記電池の劣化を推定する請求項１の劣化推定方法。
【請求項４】
前記電池制御装置は、前記電池の自己放電量速度情報及び停止前の電池の電圧と再起動後の電池の電圧との差分電圧に基づき前記停止時間を検出し、停止前及び再起動後のうちの少なくとも一方で電池の充電状態を計算し温度を検出し、前記第１の劣化情報データベースに基づき、前記計算充電状態及び前記検出温度に対応する劣化情報を取得し、取得された劣化情報に基づき前記停止時間の前記電池の劣化を推定する請求項１の劣化推定方法。
【請求項５】
前記電池制御装置は、前記電池の充放電による充電状態変動範囲を計算し温度を検出し、設定充電状態変動範囲及び設定温度に応じた電池の劣化を示す第２の劣化情報データベースに基づき、前記電池から計算された計算充電状態変動範囲及び前記電池から検出された検出温度に対応する劣化情報を取得し、取得された劣化情報に基づき前記電池の充放電中の劣化を推定する請求項１乃至４の何れか一つの劣化推定方法。
【請求項６】
前記電池制御装置は、前記劣化の推定に基づき劣化が閾値に到達した場合、電池劣化を示す情報を出力する請求項１乃至５の何れか一つの劣化推定方法。
【請求項７】
前記電池制御装置は、前記劣化の推定を含む前記電池の劣化傾向を検出し、検出された劣化傾向に基づき前記電池の寿命を予測する請求項１乃至６の何れか一つの劣化推定方法。
【請求項８】
前記電池制御装置は、前記計算充電状態及び前記検出温度に応じた一定期間における電池の使用条件を解析し、前記使用条件及び前記第１の劣化情報データベースに基づき、前記電池の劣化を推定する請求項１乃至７の何れか一つの劣化推定方法。
【請求項９】
前記電池制御装置は、前記電池の充放電時間、充放電による充電状態変動範囲の最大値と最小値、充放電中の環境温度、及び充放電休止時間を含む電池の使用条件を解析し、前記使用条件と前記検出温度に対応する前記電池の内部抵抗の変化を示す内部抵抗データベースから充放電中の前記検出温度の上昇を推定し、前記使用条件及び前記第１の劣化情報データベースに基づき、前記電池の劣化を推定する請求項１乃至７の何れか一つの劣化推定方法。
【請求項１０】
都市名と環境温度との対応データに基づき、前記都市名の入力に対応して、前記都市名に対応する前記環境温度を設定する請求項９の劣化推定方法。
【請求項１１】
前記電池制御装置は、前記電池の充放電による前記電池の内部抵抗の変化に基づき充放電中の前記電池の温度上昇値を推定し、推定された温度上昇に基づき、前記電池の劣化を推定する請求項９の劣化推定方法。
【請求項１２】
電池の充電状態を計算可能に構成された電池制御装置と、
前記電池制御装置の停止時間を検出可能に構成された停止時間検出装置と、を備え、
前記電池制御装置は、設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する劣化推定システム。
【請求項１３】
電池の充電状態を計算可能に構成された電池制御装置の停止時間を検出する手順と、
設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する手順と、をコンピュータに実行させるための劣化推定プログラム。
【請求項１４】
電池の充放電時間、充放電による充電状態変動範囲の最大値と最小値、充放電中の環境温度、及び充放電休止時間を含む電池の使用条件を解析する手順と、
充放電中の環境温度から電池温度を計算する手順と、
使用条件に基づいて劣化推定した内部抵抗を前記電池温度を計算する手順に反映させる手順と、
前記使用条件と前記計算した電池温度から使用条件マップを作成する手順と、
前記使用条件マップと電池の劣化を示す第１の劣化情報データベースに基づき前記電池の劣化を推定する手順と、
をコンピュータに実行させるための劣化推定プログラム。
【発明の詳細な説明】
【技術分野】
【０００１】
本発明の実施形態は、劣化推定方法、劣化推定システム、及び劣化推定プログラムに関する。
【背景技術】
【０００２】
二次電池は製造後徐々に劣化し、その容量の減少や抵抗の上昇などの特性の低下が発生する。電池の劣化は電池を使用するシステムに影響し、劣化が大きい場合はシステムが必要とする電池容量や出力特性を満たさなくなり、システムの稼動停止となる恐れがあるため、電池の劣化を推定することが重要となっている。つまり、電池を使用するシステムが電池の寿命を検知できることが望ましい。電池の劣化速度は電池の使用方法（環境温度や充放電範囲など）に応じて変わることが知られており、電池の劣化を推定する方法がいくつか提案されている。
【先行技術文献】
【特許文献】
【０００３】
【特許文献１】特開２００２−２３６１５４号公報
【特許文献２】特開２０１０−２２１５５号公報
【発明の概要】
【発明が解決しようとする課題】
【０００４】
しかしながら、電池寿命を推定することは容易ではない。たとえば、電池を監視する装置が停止しているときまで考慮して電池寿命を計算することは難しい。また、充放電SOC(state of charge)範囲が異なることによる劣化速度の違いを考慮して電池寿命を計算することは難しい。【０００５】
本発明の目的は、電池劣化推定に優れた劣化推定方法、劣化推定システム、及び劣化推定プログラムを提供することである。
【課題を解決するための手段】
【０００６】
実施形態の一例の劣化推定方法は、電池の充電状態を計算可能に構成された電池制御装置の停止時間を検出し、設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する。
【図面の簡単な説明】
【０００７】
【図１Ａ】電池制御システムの一例を示すブロック図である。
【図１Ｂ】電池の劣化を計算するための係数テーブル（第１の劣化情報データベース）の別例を示す図である。
【図２】実施形態１−１に係る電池制御システムの一例を示すブロック図である。
【図３】実施形態２に係る電池制御システムの一例を示すブロック図である。
【図４Ａ】実施形態４−１に係る電池制御システムの一例を示すブロック図である。
【図４Ｂ】充放電停止中の電池の劣化を計算するための劣化係数テーブル（温度/SOCごとの係数を集めたテーブル）の一例を示す図である。
【図４Ｃ】充放電中の電池の劣化を計算するための劣化係数テーブル（第２の劣化情報データベース）の一例を示す図である。
【図５】実施形態５−１に係る電池制御システムの一例を示すブロック図である。
【図６Ａ】実施形態６−１に係る電池制御システムの一例を示すブロック図である。
【図６Ｂ】使用条件が電池の温度/SOCごとの使用条件マップの一例を示す図である。
【図７】実施形態６−２−２に係る電池制御システムの一例を示すブロック図である。
【図８】使用条件マップの作成の一例を示す図である。
【図９】使用条件の一例を示す図である。
【図１０】使用条件マップの一例を示す図である。
【図１１】気温データの一例を示す図である。
【図１２】使用条件マップの一例を示す図である。
【図１３】内部抵抗マップの一例を示す図である。
【図１４】温度上昇係数を示すテーブルの一例を示す図である。
【図１５】コンピュータの概略構成の一例を示す図である。
【図１６】使用条件が電池の温度/SOCごとの使用条件マップの別例を示す図である。
【発明を実施するための形態】
【０００８】
以下、実施形態について図面を参照して説明する。なお、各図中の同一名称のブロックは実質的に同一の動作が実行可能である。
【０００９】
（各実施形態に共通の概念）
図１Ａは、電池制御システムの一例を示すブロック図である。図１Ａに示すように、電池制御システムは、電池制御装置１１０、電圧検出器１１１、温度検出器１１２、電流検出器１１３を備える。電池制御装置１１０は、電圧測定部１２１、温度測定部１２２、電流測定部１２３、ＳＯＣ算出部１２４、平均ＳＯＣ算出部１２５、平均温度算出部１２６、サイクル数算出部１２７、記憶装置１２８、劣化計算部１２９を備える。
【００１０】
なお、電池１０１は、ひとつのセルで構成されても良いし、セルを複数個直列、並列に接続した電池パックで構成されてもよい。
【００１１】
電池制御装置１１０は、電池１０１の充放電を制御する。電池制御装置１１０は、電池１０１の電圧、温度、電流を計測する電圧検出器１１１、温度検出器１１２、電流検出器１１３を通して電池１０１の電圧、温度、電流を取得する。つまり、電圧測定部１２１が、電圧検出器１１１からの電圧検出値に基づき電圧値を測定し、温度測定部１２２が、温度検出器１１２からの温度検出値に基づき温度値を測定し、電流測定部１２３が、電流検出器１１３からの電流検出値に基づき電流値を測定する。なお、電圧検出器１１１、温度検出器１１２、電流検出器１１３は電池制御装置内部に搭載されていても良い。
【００１２】
ＳＯＣ算出部１２４は、取得した電池１０１の電圧、温度および電流からSOCを計算（推定）する。この計算方法には、電流積算や電圧からの推定計算などの手法を適用することができる。なお、SOCは、充電状態（充電量又は充電率等）を意味する。
【００１３】
記憶装置１２８は、電池１０１の劣化を計算（推定）するための係数（劣化情報）を保持し、劣化計算部１２９は、前記係数と、平均温度算出部１２６により計算（検出）される平均温度、平均ＳＯＣ算出部１２５により計算された平均SOC、及びサイクル数算出部１２７により計算されたサイクル数などから電池１０１の劣化を計算（推定）する。本実施形態では、電池の劣化計算は、電池の劣化推定に相当する。記憶装置１２８は、電池制御装置１１０内のマイクロコンピュータ上のメモリでも良いし、マイクロコンピュータの電源ON/OFFをまたいでデータを保持したい場合はEEPROMなどのような不揮発性メモリでも良い。
【００１４】
電池の劣化を計算するための係数（第１の劣化情報データベース）
ここでは電池の劣化として、容量の低下、抵抗の上昇、厚みの増加を例に挙げる。これらは電池の置かれた状況（温度と充電率）に応じて劣化速度が変わり、それぞれを係数として保持する。記憶装置１２２内に保持される係数は係数テーブルにまとめて保持される。複数の係数テーブルにより、電池１０１があるSOCとある温度であった場合の、単位時間当たりの電池容量・抵抗・厚みそれぞれの変化の組み合わせと、電池１０１の充放電1回当たりの電池容量・抵抗・厚みそれぞれの変化の組み合わせについて求めることができる。
【００１５】
図１Ｂは、電池容量の変化を計算するための係数テーブル（第１の劣化情報データベース）の一例を示す図である。図１Ｂに示すように、係数テーブルは、任意に設定された複数の設定充電状態及び設定温度に応じた電池の劣化を示す係数を含む。図１Ｂに示す係数テーブルに無い値の場合（たとえば温度15度、SOC:20%など）、劣化傾向の数値は近似式により計算することができる。近似式は直線近似でも良いし、多項式近似のような曲線を近似しても良い。
【００１６】
図１Ｂ中の値は変化のため単位を[mAh/hour]（1時間あたりに減る容量の絶対値）としたが、[%/hour]（初期値に対する1時間あたりに減る容量の比率）にしても良い。
【００１７】
なお、記憶装置１２８は、電池１０１の抵抗、厚みについても同様に変化を計算するための係数テーブルを保持する。
【００１８】
電池の特性の変化の計算
電池容量を例に取り、係数テーブルからどのように容量低下を計算するか記述する。電池制御装置１１０は、上述のように平均温度と平均SOCを計算する。たとえば、電池制御装置１１０が1時間に1回容量低下を計算するとき、あるときの1時間辺りの平均温度が20度、平均SOCが90%となったとき、劣化計算部１２９は、図１Ｂの係数テーブルにより、60mAhだけ容量が低下すると計算することができる。また、平均温度が15℃、平均SOCが55%となったときは、劣化計算部１２９は、図１Ｂの係数テーブルにより、10℃,20℃と50%,75%の値から直線近似により15度,55%の係数を計算することができる。たとえば、20度,55%の値は、「(((20度,75%の値)-(20度,50%の値))/(75-50))*(55-50)+(20度,50%の値)」すなわち22となる。この種の計算を繰り返し、15度,55%の値として「16」を得ることができる。よって16mAhだけ容量が低下すると計算することができる。
【００１９】
劣化計算部１２９は、セル厚みや抵抗に関しても同様に計算することができる。
【００２０】
上記の通り、前提条件として電池制御装置１１０が、電池１０１のSOC/温度の分布に応じた劣化速度を係数テーブルや式として持っていること、および電池１０１が使われたSOC/温度に応じて電池１０１の劣化を計算する機能を持っている。
【００２１】
SOC100%について補足する。たとえば、電池１０１の性能上の最大SOCをSOC100%と定義してもよいし、最大SOCより低い任意の値をSOC100%と定義してもよい。同様に、電池１０１の性能上の最小SOCをSOC0%と定義してもよいし、最小SOCより高い任意の値をSOC0%と定義してもよい。たとえば、電池１０１の第１の電圧値（＞０）〜第２の電圧値（＞第１の電圧値）をSOC0%〜SOC100%と定義することができる。
【００２２】
（実施形態１−１）電池監視機能を備えた上位システム（停止監視装置又は停止時間検出装置に相当）で情報を補完
図２に示すように、実施形態１−１に係る電池制御システムの一例を示すブロック図である。図２に示すように、電池制御システムは、電池制御装置２１０、上位システム２４０を備える。電池制御装置２１０は、電圧検出器２１１、温度検出器２１２、電流検出器２１３、電圧測定部２２１、温度測定部２２２、電流測定部２２３、ＳＯＣ算出部２２４、平均ＳＯＣ算出部２２５、平均温度算出部２２６、サイクル数算出部２２７、記憶装置２２８、劣化計算部２２９、通信IF２３０を備える。上位システム２４０は、時間計算部２４１、温度測定部２４２、通信IF２４３を備える。
【００２３】
電池制御システムでは、上位システム２４０が、電池制御装置２１０が停止中の時間と温度を計測し、電池制御装置２１０が再起動したときに、上位システム２４０が、電池制御装置２１０に対して、電池制御装置２１０の停止中の時間と温度の計測結果を送信する。これにより、電池制御装置２１０は、停止中の時間と温度の計測結果を取得することができ、取得した計測結果を劣化計算に反映させることができる。
【００２４】
停止時間については、たとえば上位システム２４０の時間計算部２４１が、電池制御装置２１０の停止時刻を記録し、電池制御装置２１０が再起動したときの再起動時刻と前記停止時刻との差分から停止時間を計算する。上位システム２４０は、電池制御装置２１０が稼動しているかどうかについて、電池制御装置２１０からの通信（応答）を監視しても良いし、電池制御装置２１０への電源ラインの状態を監視しても良い。また、温度については、上位システム２４０は、電池２０１に温度ロガー等を付けて電池温度を監視、記録しても良いし、電池制御装置２１０が停止中すなわち充放電されない場合、電池温度は環境温度とほぼ同一のため、電池２０１が置かれる環境の温度を監視、記録しても良い。上位システム２４０が計測した電池制御装置２１０の停止時間および停止中の温度は通信IF２４３を介して電池制御装置２１０の通信IF２３０に通知する。なお、通知の際、温度については計測した温度の平均値や最大値、最小値にしてもよい。
【００２５】
電池制御装置２１０は、停止後の再起動時に通信IF２３０を介して上位システム２４０から停止時間と温度を取得する。劣化計算部２２９は、通信IF２３０を介して取得した停止時間と停止中の温度データに基づき、電池２０１の劣化を計算する。
【００２６】
電池制御装置２１０の停止中のSOCに関しては、電池の自己放電量が小さい場合は、次のように電池２０１の劣化を計算する。
【００２７】
（１）電池制御装置２１０の記憶装置２２８が停止時点のSOCを記録しておき、再起動時に、劣化計算部２２９は、停止時点のSOCを平均SOCとして、電池２０１の劣化を計算する。
【００２８】
（２）電池制御装置２１０の通信IF２３０が停止時点のSOCを上位システム２４０に通知し、上位システム２４０は通知された停止時点のSOCを記録し、再起動時に、電池制御装置２１０は、上位システム２４０で記録された停止時点のSOCを受信し、劣化計算部２２９は、受信した停止時点のSOCを平均SOCとして、電池２０１の劣化を計算する。
【００２９】
電池の自己放電量が大きい場合は、劣化計算部２２９は、停止時点のSOCと再起動時のSOCの平均値を平均SOCとして採用し劣化計算する、あるいは停止時点のSOCと再起動時のSOCのうちの大きい値を平均SOCとして採用し劣化計算する、あるいは小さい値を平均SOCとして採用し劣化計算する。たとえば、再起動時のSOCは、「再起動時の電池の電圧」と「あらかじめ持っている電圧とSOCの関係」から電池制御装置２１０が計算しても良いし、「停止時のSOC」と「上位取得した温度と自己放電量の関係」から電池制御装置２１０が計算しても良い。
【００３０】
（実施形態１−２）
電池制御装置２１０の停止中の温度の平均化や最大値を上位システム２４０で計算せずに電池制御装置２１０で停止中の温度の平均化や最大値を計算してもよい。この場合は、上位システム２４０は計測した複数の温度データを（たとえば上位システム内の記憶装置内に）保持し、電池制御装置２１０の再起動後に、その全温度データを電池制御装置２１０へ送信し、電池制御装置２１０の平均温度算出部２２６は、受信した複数の温度データに基づき平均温度を算出し、劣化計算部２２９は、平均温度に基づき劣化計算する。なお、電池制御装置２１０が、最大温度計算部や最小温度計算部を備えてもよい。
【００３１】
（実施形態２）電池制御装置のタイマー（停止時間検出装置に相当）で時間計測（上位システムに頼らない）
図３Ａに示すように、実施形態２に係る電池制御システムの一例を示すブロック図である。図３Ａに示すように、電池制御システムは、電池制御装置３１０を備え、電池制御装置３１０は、電圧検出器３１１、温度検出器３１２、電流検出器３１３、電圧測定部３２１、電流測定部３２３、ＳＯＣ算出部３２４、平均ＳＯＣ算出部３２５、平均温度算出部３２６、サイクル数算出部３２７、記憶装置３２８、劣化計算部３２９、タイマー３４０、時間計算部３４１を備える。
【００３２】
実施形態２では、上位システムに頼らず、電池制御装置３１０単体で電池制御装置３１０の停止中の電池３０１の劣化を計算する。このため電池制御装置３１０は、時間を計測可能なタイマー３４０を持つ。また、電池制御装置３１０の停止時にタイマー３４０も停止してしまうと停止中の時間を計算できなくなるため、タイマー３４０は停止しない。タイマーは、電池制御装置３１０の停止中も動作可能である。つまり、電池制御装置３１０の停止中とは、電池制御装置３１０の全体を停止するのではなく、低消費電力モード（スリープモード）による動作中を意味し、低消費電力モードによる動作中には、消費電力の大きな機器（ex.マイクロコンピュータ）を停止し、タイマー３４０を含む消費電力の小さい機器を停止しない。タイマー３４０は、電池制御装置が通常モードから低消費電力モードへ移行する場合、低消費電力モードの開始時間を記憶装置３２８へ記録する。たとえば、記憶装置３２８は、低消費電力モードの実行中にデータが失われないよう不揮発性メモリ(ex. EEPROM)であることが望まれる。低消費電力モードから通常モードへの復帰に対応し、時間計算部３４１は、タイマー３４０から復帰時間を取得し、記憶装置３２８に記録された開始時間と復帰時間との差分から停止時間（低消費電力モードの実行時間）を計算する。低消費電力モードから復帰したときの温度とSOCを劣化計算のための温度やSOCとして採用して良いし、低消費電力モードに移行したときの温度とSOCを記憶装置３２８に記録しておき、復帰したときの温度とSOC、及び移行したときの温度とSOCの平均値、最大値、最小値を劣化計算のための温度やSOCとして採用して良い。
【００３３】
（実施形態３）電池制御装置で計算により停止時間算出（上位システムに頼らない）
実施形態３では、上位システムに頼らず、電池制御装置が停止時間を算出する。たとえば、電池制御装置のソフトウェアで停止時間を算出する。よって、タイマーが無くても、時間計算部３４１が停止時間を計算することができる。
【００３４】
あらかじめ、記憶装置３２８は、電池３０１の特性として取得しておいた「電圧とSOCの関係」と「温度とSOCと自己放電速度の関係」を保持する。電池制御装置３１０（記憶装置３２８）は、停止時に電池３０１の電圧を記録し、電池制御装置３１０（時間計算部３４１）は、再起動時に電池の電圧、およびあらかじめ記憶装置３２８に保持された「電圧とSOCの関係」と「温度とSOCと自己放電速度の関係」とを用いる。たとえば、再起動時に、時間計算部３４１が以下の手順により停止時間を算出する。
【００３５】
（１）停止時の電圧と「電圧とSOCの関係」から停止時のSOCを計算
（２）再起動時の電圧と「電圧とSOCの関係」から再起動時のSOCを計算
（３）（１）と（２）で計算した停止時のSOCと再起動時のSOCとの差分と、「温度とSOCと自己放電速度の関係」から、「SOC差分÷自己放電速度」により停止時間を計算
（実施形態４−１）充放電SOC範囲が異なることによる劣化速度の違いを考慮
図４Ａに示すように、実施形態４−１に係る電池制御システムの一例を示すブロック図である。図４Ａに示すように、電池制御システムは、電池制御装置４１０を備え、電池制御装置４１０は、電圧検出器４１１、温度検出器４１２、電流検出器４１３、電圧測定部４２１、温度測定部４２２、電流測定部４２３、ＳＯＣ算出部４２４、平均ＳＯＣ算出部４２５、平均温度算出部４２６、サイクル数算出部４２７、記憶装置４２８、劣化計算部４２９、最大／最小SOC計算部４５１、充放電判定部４５２を備える。
【００３６】
たとえば、記憶装置４２８は、図４Ｂに示す充放電停止中の劣化係数テーブル（温度/SOCごとの係数を集めたテーブル）及び図４Ｃに示す充放電時の劣化係数テーブル（第２の劣化情報データベース）を記憶する。図４Ｃに示すように、劣化係数テーブルは、任意に設定された複数の設定充電状態変動範囲及び設定温度に応じた電池の劣化を示す係数を含む。電池制御装置４１０は、充放電中かどうかに応じた劣化計算方法を選択する。充放電判定部４５２は、充放電中かどうかを判定する。たとえば、充放電判定部４５２は、計測した電流値が一定値以上の場合、電流が流れている（＝充放電中）と判定し、計測した電流値が一定値未満の場合、電流が流れていない（＝充放電停止中）と判定する。
【００３７】
充放電停止している場合、劣化計算部４２９は、実際の電池の温度/SOC分布と、あらかじめ計算しておいた温度/SOC分布ごとの劣化係数（図４Ｂ）に基づき劣化を計算する。
【００３８】
充放電中の場合の劣化計算について説明する。劣化計算部４２９は、充放電されるSOC範囲に応じて劣化計算に用いる劣化係数を選択する。最大／最小SOC計算部４５１は、充放電判定部４５２により充放電中と判定された場合に、SOC算出部４２４が算出したSOCの最大値と最小値を計算する。たとえば、以下の通り計算する（SOC：SOC算出部４２４が算出したSOC、SOCmax：SOC最大値、SOCmin：SOC最小値）。
【００３９】
（１）充放電判定部４５２が充放電停止から充放電中への遷移を検出したことに対応して、最大／最小SOC計算部４５１は、SOCmax=SOC、SOCmin=SOCとして初期化する。
【００４０】
（２）充放電判定部４５２が充放電中を検出したことに対応して、最大／最小SOC計算部４５１は、SOCmax<SOCのときSOCmax=SOCとし（SOCminは更新しない）、SOCmin>SOCのときSOCmin=SOC（SOCmaxは更新しない）とする。
【００４１】
（３）充放電判定部４５２が充放電中から充放電停止への遷移を検出したことに対応して、最大／最小SOC計算部４５１は、充放電におけるSOCmaxとSOCminを決定する。
【００４２】
サイクル数算出部４２７は、充放電判定部４５２により充放電停止から充放電中への遷移を検出してから、充放電中から充放電停止への遷移を検出するまでの間の充電量または放電量をサイクル数に変換する。たとえば、サイクル数算出部４２７が、以下により計算する（I：電流計測値、t：電流計測間隔、SOCch：充電量、SOCdh：放電量）。
【００４３】
（１）充放電判定部４５２が充放電停止から充放電中への遷移を検出したことに対応して、サイクル数算出部４２７はSOCch=0、SOCdh=0として初期化する。
【００４４】
（２）充放電判定部４５２が充電中を検出したことに対応して、サイクル数算出部４２７はSOCch=SOCch(前回値) + I × t ÷ 係数 を計算する。充放電判定部４５２が放電中を検出したことに対応して、サイクル数算出部４２７はSOCdh=SOCdh(前回値) + I × t ÷ 係数を計算とする。ここで係数は電流計測間隔tに依存し、充放電量の単位を[Ah]、tの単位を[秒]とすると、係数は3600となる。
【００４５】
（３）充放電判定部４５２が充放電中から充放電停止への遷移を検出したことに対応して、サイクル数算出部４２７は充放電におけるSOCchとSOCdhを決定する。
【００４６】
（４）また、サイクル数算出部４２７はSOCmaxとSOCminの差分を1サイクルの充放電量とし、SOCchもしくはSOCdhを割ることでサイクル数を計算する。
【００４７】
記憶装置４２８は、図４Ｂに示す充放電停止中の劣化係数テーブル（温度/SOCごとの係数を集めたテーブル）及び図４Ｃに示す充放電時の劣化係数テーブルを記憶するが、これら劣化係数テーブルは、温度の違いに応じたテーブルだけでなく、充放電時の最大SOCと最小SOCに応じたテーブルも含む。
【００４８】
たとえば、図４Ｃに示すように、記憶装置４２８は、充放電中の最大SOCが80%以上かどうか、最小SOCが20%未満かどうかにより3パターンの劣化係数テーブルを記憶する（もちろん他の組み合わせの劣化係数テーブルを記憶するようにしても良い）。図４Ｃに示す劣化係数テーブルにおいては、単位は%/cycleとする（1サイクルあたり何%劣化するか）。
【００４９】
劣化計算部４２９は、最大/最小SOC計算部４５１により計算された最大SOCおよび最小SOCに対応する劣化係数テーブルを選択し、平均温度算出部４２６により算出された充放電中の平均温度から劣化係数を選択し、サイクル数算出部４２７により計算されたサイクル数を乗じて劣化率（%）を計算する。平均温度については最大温度や最小温度などでも良い。
【００５０】
（実施形態４−２）
サイクル数算出部４２７はサイクル数を算出し、記憶装置４２８に記憶されている劣化係数の単位は[%/cycle]としたが、サイクル数の変わりに充放電時間としても良い。電池制御装置４１０はタイマーを備え、タイマーが充放電時間を検出する。また、劣化係数の単位は[%/day]や[%/hour]等の時間による劣化率を表す単位となる。
【００５１】
（実施形態５−１）電池の劣化が閾値に到達したときに警告を通知
図５に示すように、実施形態５−１に係る電池制御システムの一例を示すブロック図である。図５に示すように、電池制御システムは、電池制御装置５１０を備え、電池制御装置５１０は、電圧検出器５１１、温度検出器５１２、電流検出器５１３、電圧測定部５２１、温度測定部５２２、電流測定部５２３、ＳＯＣ算出部５２４、平均ＳＯＣ算出部５２５、平均温度算出部５２６、サイクル数算出部５２７、記憶装置５２８、劣化計算部５２９、寿命判定部５６１、通信IF５６２を備える。
【００５２】
電池制御装置５１０は、電池の劣化が閾値に到達したとき（電池が寿命に到達したとき）に警告を通知する機能を備える。ここで説明する警告通知機能は、これまでに説明した何れの実施形態にも組み合わせることができる。
【００５３】
寿命判定部５６１は、劣化計算部５２９の計算結果を受け取り、計算結果があらかじめ設定された閾値（寿命）に到達していたとき、寿命に到達したと判定し、通信IF５６２は、寿命に到達したことを外部（上位システムなど）に通知する。これは寿命到達通知機能の一例であり、通信IF５６２の代わりに「パトランプ」や「ブザー」などを具備し、それを点灯、音を発生するなどして寿命到達を通知しても良い。
【００５４】
（実施形態６−１）寿命予測機能１
図６Ａに示すように、実施形態６−１に係る電池制御システムの一例を示すブロック図である。図６Ａに示すように、電池制御システムは、電池制御装置６１０を備え、電池制御装置６１０は、電圧検出器６１１、温度検出器６１２、電流検出器６１３、電圧測定部６２１、温度測定部６２２、電流測定部６２３、ＳＯＣ算出部６２４、平均ＳＯＣ算出部６２５、平均温度算出部６２６、サイクル数算出部６２７、記憶装置６２８、劣化計算部６２９、寿命予測部６６０、寿命判定部６６１、通信IF６６２、タイマーＩＣ６６３を備える。
【００５５】
電池制御装置６１０は、電池の現在の劣化を計算することに加えて、電池の使用継続に応じた電池の寿命予測を計算する寿命予測機能を備える。ここで説明する寿命予測機能は、これまでに説明した何れの実施形態にも組み合わせることができる。
【００５６】
たとえば、電池制御装置６１０は、電池の使用開始から現在までの劣化傾向に基づき、将来の劣化を予測し寿命を予測する。たとえば、以下のようにして寿命を予測する。
【００５７】
（１）記憶装置６２８は、劣化計算部６２９の計算結果を計算時刻とともに記憶する。つまり、記憶装置６２８は、<計算時刻,計算結果>の組み合わせの計算結果を複数記憶する。タイマーＩＣ６６３によりカウントされた時刻を計算時刻として採用する。
【００５８】
（２）寿命予測部６６０は、予測タイミングになったら記憶装置６２８から1の組み合わせを読み出し、その計算時刻と計算結果の関係を回帰分析する（関係を表す近似式を求める）。
【００５９】
（３）さらに、寿命予測部６６０は、あらかじめ定められた予測期間（ex. 1年後）と（２）で求めた回帰分析結果から、現在から予測時期経過後の劣化を計算する。
【００６０】
（４）寿命判定部６６１は、寿命予測部６６０の計算した予測結果と、あらかじめ定められた閾値を比較し、閾値に達していれば寿命が近いと判定し、通信IF６６２が、寿命が近いことを外部へ通知する。
【００６１】
寿命予測部６６０の予測タイミングは、タイマーIC６６３からの入力に基づいて、たとえば1ヵ月ごととしても良いし、あるいは上位システムから通信IF６６２を介して予測タイミングの指示を受け取っても良い。さらには、上位システムから通信IFを介して、予測期間や寿命と判定する閾値を受け取っても良い。
【００６２】
（実施形態６−２）寿命予測機能２
電池制御装置６１０は、電池の使用条件（温度と充放電パターン）から将来の劣化を予測し寿命判定する。実施形態６−１との違いは寿命予測部６６０の処理とそれに付随する記憶装置６２８に記録するデータである。以降ではその違いについて説明する（予測タイミングの処理や寿命予測結果に対する判定や通知の処理は実施形態６−１と同じになる）。
【００６３】
（実施形態６−２−１）使用条件=電池の温度/SOCごとの使用条件マップの場合
図６Ｂに示すように、使用条件が電池の温度/SOCごとの使用条件マップの場合、そのマップはたとえば温度/SOCの組み合わせごとに、単位時間当たりにどの程度の比率で電池が存在するかのテーブルとなる。
【００６４】
（１）単位時間は1時間、1日、1ヶ月等が挙げられる。
【００６５】
（２）SOCと温度の滞在比率は、たとえば「SOC:10%刻み」、「温度:10度刻み」のような分類をする。
【００６６】
図６Ｂは、単位時間を1時間としたときの、1日あたりの使用方法表を記述した使用条件マップの一例を示す。なお、ここでは滞在時間とし、図６Ｂ中の値の単位は[時間]としたが、比率[%]であらわしても良い。充放電回数は別途「回数」として用意する。ただし、期間はSOCと温度の滞在比率に合わせ、たとえば上記のように1日あたりの滞在比率の場合、充放電回数は「1日あたりの充放電回数」とする。
【００６７】
図６Ｂに示す使用条件マップが与えられたとき、たとえば電池容量の場合は、図１Ｂの係数テーブルと組み合わせて1日=24時間あたりの係数を以下のようにして計算する。
【００６８】
（１）使用条件マップにおいて0時間の部分は変化の計算対象外である。
【００６９】
（２）使用条件マップにおいて0時間で無い部分の変化の合計が、1日あたりの電池容量の減少値になる。
【００７０】
たとえば温度が11〜20℃、SOC:51〜60%に3時間あるとき、図１Ｂの係数テーブルより電池容量の減少幅は以下のように計算する。
【００７１】
（１）温度とSOCをそれぞれの範囲の中央である15度、55%とする。
【００７２】
（２）図１Ｂの係数テーブルの10,20℃と50,75%の値から直線近似により15度,55%の係数を計算する。たとえば、20度,55%の値は、「(((20度,75%の値)-(20度,50%の値))/(75-50))*(55-50)+(20度,50%の値)」すなわち22となる。この種の計算を繰り返し、15度,55%の値として「16」を得る。
【００７３】
（３）図１Ｂの係数テーブルの値の単位は[mAh/day]であるため、1日あたりの変化量は16*3/24=2mAhとなる。
【００７４】
（４）使用条件マップの他の領域にも0以外の数字があれば、それらについても同様に計算し、それらの計算結果の合計値を1日あたりの電池容量の変化（減少値）とする。
【００７５】
劣化計算部６２９は、上記の通り、使用条件マップに基づき劣化を計算する。セル厚みや抵抗に関しても同様に計算する。
【００７６】
寿命予測部６６０は、使用条件マップで定義される使用方法を繰り返した場合に劣化がどのように進むか（ex. 容量がどのように低下していくか）を繰り返し計算する。さらに寿命判定部６６１と連携し、あらかじめ定められた閾値に到達する期間を計算し、通信IF６６２が、寿命予測を上位システムに通知する。
【００７７】
たとえば、劣化計算部６２９が1日あたり電池容量が48mAh減ると計算した場合、寿命予測部６６０は2日で48x2=96mAh、3日で48x3=144mAh電池容量が減ると計算する。寿命判定部６６１は、この計算結果を毎回受け取り、たとえばあらかじめ定められた閾値が「容量が10,000mAh低下したとき」であれば、209日後に容量低下が10,000mAhを超えるため、208日間使用可能であると判定し（209日後に寿命に到達すると判定し）、通信IF６６２は、208日使用可能であること（209日後に寿命に到達すること）を上位システムに通知する。
【００７８】
（実施形態６−２−２）使用条件=環境温度と充放電パターンの場合
図７は、実施形態６−２−２に係る電池制御システムの一例を示すブロック図である。図７に示すように、電池制御システムは、電池制御装置７１０を備え、電池制御装置７１０は、電圧検出器７１１、温度検出器７１２、電流検出器７１３、電圧測定部７２１、温度測定部７２２、電流測定部７２３、ＳＯＣ算出部７２４、平均ＳＯＣ算出部７２５、平均温度算出部７２６、サイクル数算出部７２７、記憶装置７２８、劣化計算部７２９、寿命予測部７６０、寿命判定部７６１、通信IF７６２、タイマーＩＣ７６３、使用条件作成部７６４を備える。
【００７９】
実施形態６−２−２では、使用条件が環境温度と充放電パターンの場合について記述する。なお、劣化計算部７２９の計算以降（寿命予測部７６０と寿命判定部７６１）については、実施形態６−２−１と同じため、ここでは記述を省略する。言い換えると、ここでは、環境温度と充放電パターンからどのようにして実施形態６−２−１に挙げたような使用条件マップを作成するかについて記述する。
【００８０】
充放電パターンとしては、たとえば「充放電SOC範囲」、「充放電時間」および「休止時間」の組合せとする。図８に示すように、使用条件作成部７６４が、使用条件マップを作成する。
【００８１】
たとえば、使用条件作成部７６４は、使用条件マップをクリアし（ＳＴ１）、温度番号を初期値「１」に設定し（ＳＴ２）、環境温度が使用条件マップの範囲内であれば（ＳＴ３、ＹＥＳ）、充放電開始SOCから充放電終了SOCまでを充放電時間だけ平均的に加算し（ＳＴ４）、使用方法マップの充放電終了SOCに充放電休止時間を加算する（ＳＴ５）。後続の充放電パターンが有れば（ＳＴ６、ＹＥＳ）、使用条件作成部７６４は、ＳＴ４、ＳＴ５を繰り返し、無ければ（ＳＴ６、ＮＯ）、温度番号をインクリメントし（＋１）（ＳＴ７）、温度番号が温度水準数に達するまで、ＳＴ３−ＳＴ７を繰り返し、温度番号が温度水準数に達したら（ＳＴ８、ＮＯ）、使用条件マップの生成を終了する。
【００８２】
例えば、図９に示す使用条件が与えられた場合、使用条件作成部７６４が1日あたりの電池の使用条件として図１０に示す使用条件マップを作成する。図９に示す使用条件は、SOC:50%から100%に1時間かけて充電し、休止11時間後に1時間かけてSOC:100%から50%に放電し、休止11時間をとる充放電パターンの繰り返しを示す。
【００８３】
SOC:100%と50%で休止が11時間あるため、使用条件作成部７６４は、図１０に示す使用条件マップ内にも11時間を記録する。また、使用条件作成部７６４は、SOC:50%→100%の充電では、充電時間1時間を平均的にSOCに割り振り、10%刻みごとに1時間/5分割=0.2時間ずつ割り振る。放電側についても同様。充放電中は環境温度よりも電池温度が上昇するため、50→100%、100→50%は環境温度よりも高い部分に0.2+0.2=0.4時間ずつ割り振る。温度上昇幅はあらかじめ実験して得た電池の温度上昇特性を元に計算可能である。
【００８４】
なお、充放電電流が変わる場合は充放電時間に反映させることができる。たとえば、50%→75%を1時間、75%→100%を0.5時間などとすることにより実現可能である。
【００８５】
なお、使用条件作成部７６４が、記憶装置７２８に記憶された使用条件マップを参照するケースについて説明したが、使用条件作成部７６４が、通信IF７６２を介して外部から与えられる使用条件マップを参照するようにしてもよい。この場合、使用条件が変わる場合に寿命がどのように変わるのかも推定可能になる。
【００８６】
（実施形態６−２−２−１）使用条件として環境温度の代わりに使用都市名が与えられる場合
電池制御装置７１０は、使用条件として使用都市名が与えられる場合に、使用都市名に基づき使用条件マップを作成することができる。この場合、記憶装置７２８は、使用都市ごとの温度データを保持し、使用条件作成部７６４は、使用都市名から温度データを検索する。これにより、使用都市名（使用地区）から使用環境温度への変換が可能となる。
【００８７】
たとえば、記憶装置７２８は、図１１に示すような気温データ（http://weather.time-j.net/Climate/Chart/tokyoより）を使用都市名（使用地区）ごと保持し、使用条件作成部７６４は、使用都市名（使用地区）ごとの記憶データと、与えられた使用都市名（使用地区）とに基づき、与えられた使用都市名（使用地区）を使用環境温度に置換する。
【００８８】
たとえば、使用条件作成部７６４は、図９の使用条件と図１１に示す気温データに基づき、図１２に示す使用条件マップを作成する。たとえば8月であれば最高気温が31.1度であるため、環境温度をその温度として使用条件マップが作成される。電池の劣化は高温ほど大きいことを考慮して最高気温=環境温度としたが、平均気温=環境温度としても良いし、最高気温、平均気温、最低気温を時系列に並べても良い。
【００８９】
ここで、図１６を参照し、実施形態６−２−１、実施形態６−２−２、実施形態６−２−２−１で使用可能な使用条件マップの別例について説明する。
【００９０】
上記説明した使用条件マップでは、温度とSOCの分布を一定間隔（温度：10℃、SOC：10%）としていたが、電池の性能等に応じて使用条件表上の温度とSOCの分布を一定間隔ではないように定義しても良い。たとえば、低温や低SOCで劣化速度が小さく、ほとんど絶対値が変わらないのであれば、低温や低SOCの領域をマージしても良い。また、高温や高SOCで劣化の傾向が細かく変わるのであれば、その領域を分割しても良い。
【００９１】
例えば、図１６は、温度0℃以下をマージ、SOC:20%以下をマージし、温度41℃以上、SOC:81%以上を分割した使用条件マップの一例を示す。マージすることにより使用条件マップの作成コスト低減や処理量軽減、分割することにより使用条件マップに基づく劣化推定精度を向上させることができる。
【００９２】
（実施形態６−２−２−２）電池の使用による劣化(抵抗上昇)を加味して寿命予測する場合
電池制御装置７１０は、電池の使用による劣化(抵抗上昇)を加味して寿命予測する。記憶装置７２８は、内部抵抗マップを保持する。また、電池制御装置７１０は、内部抵抗から温度上昇を計算する温度上昇計算部を備え、温度上昇計算部は、劣化計算ごとに内部抵抗マップを更新し、寿命予測時の（将来の劣化進行による）内部抵抗上昇から温度上昇を計算する。
【００９３】
内部抵抗マップは、電池の出荷初期の内部抵抗マップ（評価データ）であり、記憶装置７２８は、この内部抵抗マップを保持する。たとえば、内部抵抗マップは、SOCと温度の組み合わせごとに用意する。図１３は、内部抵抗マップの一例を示す図である。
【００９４】
内部抵抗から温度上昇幅を計算する場合、記憶装置７２８に記録された温度上昇係数と、充放電パターンから計算できる電流値（充放電SOC範囲と充放電時間から計算）を用いる。これは電池の充放電による温度上昇はジュールの法則（電流値の二乗と内部抵抗値の積に比例）に従うためである。
【００９５】
温度上昇係数の例としては、電流値と温度により決まるテーブルが考えられる。図１４は、温度上昇係数を示すテーブルの一例を示す図である。
【００９６】
たとえば、25℃環境でSOC:30%で20Aで充電・放電する場合、温度上昇計算部は、温度上昇値として、電流×電流×内部抵抗×係数を計算する（20 x 20 x 12 x 4 = 19200 → 1.92℃上昇する）。これは温度上昇の計算方法の一例であり、他の方法を採用しても良い。
【００９７】
電池制御装置７１０は、劣化計算により内部抵抗が上昇した場合、上記内部抵抗マップを更新する。これにより温度上昇幅も増えることになり、劣化による内部抵抗上昇→温度上昇→劣化の加速の推定が可能になり、寿命予測の精度が上がる。
【００９８】
なお、実施形態６−２−２−１と実施形態６−２−２−２とを組み合わせ、使用都市を入力として受け付けた上で内部抵抗マップを使用するようにしても良い。
【００９９】
図１３に示す内部抵抗マップでは、SOCの分布を10%で一定間隔としていたが、電池の性能等に応じて内部抵抗マップ上のSOCの分布を一定間隔ではないように定義しても良い。例えばSOCの変化に応じて内部抵抗が同じであったり、内部抵抗の変化が一定の割合であったりすれば近似式により計算できる。
【０１００】
例えば、上記再掲した表では、SOC:0,10,20%で内部抵抗の値が同じであるため、SOC:10%は省略できる（SOC:0と20%の値から近似計算できるため）。このようにすることで、内部抵抗マップのサイズ、すなわち内部抵抗マップを格納するための電池制御装置上のメモリサイズを削減できるため、電池制御装置の低コスト化できる。
【０１０１】
一方、内部抵抗の劣化による変化が一律ではない可能性を考慮し、あえて内部抵抗マップの温度とSOCの分布を最初から一定間隔にしておくことも考えられる。この場合、低コスト化はできないが、内部抵抗が変化しても劣化推定精度を維持できる。
【０１０２】
（実施形態６−３）
上記において、電池制御装置７１０が寿命を予測するケースについて説明したが、上位システムが寿命を予測しても良い。この場合、上位システムが、寿命予測部、寿命判定部、使用条件作成部、および記憶装置等を備え、上位システム内の各部が協働して寿命を予測する。
【０１０３】
（実施形態７）劣化計算および寿命推定の外部プログラム化
電池制御装置内で劣化計算および寿命推定等の処理を実行しても良いし、これらの処理をプログラム化し、プログラムをコンピュータ（外部PC等）へインストールし、コンピュータ上で実行するようにしてもよい。
【０１０４】
図１５は、上記コンピュータの概略構成の一例を示す図である。
【０１０５】
図１５に示すように、上記コンピュータは、処理装置１５０１、記憶装置１５０２、入力装置１５０３、出力装置１５０４を備える。処理装置１５０１はＣＰＵ等のプロセッサーにより構成され、記憶装置１５０２はＨＤＤ等により構成され、入力装置１５０３はキーボード、マウス等により構成され、出力装置１５０４はディスプレイ、プリンタ等により構成される。記憶装置１５０２は上記プログラムを記憶し、処理装置１５０１はプログラムを実行する。
【０１０６】
また、記憶装置１５０２は劣化計算および寿命推定に必要な情報（係数テーブル、使用条件マップ）を記憶する。或いは、上記コンピュータは通信装置を備え、通信装置がネットワークを介して劣化計算および寿命推定に必要な情報を送受信する。
【０１０７】
上記コンピュータによれば比較的容易に劣化計算および寿命推定を実現可能であり、また、上記コンピュータの使用都市や使用充放電パターンが分かっている場合、電池の寿命を推定できるため、寿命を延ばすための充放電パターンの見直し（検討）にも用いることができる。
【０１０８】
上記説明した少なくとも一つの実施形態によれば、以下の作用効果を得ることができる。
【０１０９】
(1)電池を監視する装置が停止しているときまで考慮して計算することができる。
電池を監視する装置が停止→再起動となったとき、下記(1-1)〜(1-3)のいずれかの方法で記録した停止時間、および停止中の電池の温度とSOCを元に、再起動時に電池制御装置が劣化を計算する。
【０１１０】
(1-1)電池制御装置の停止中の時間と温度を上位システム側で監視しておく。停止中のSOCは装置停止もしくは再起動時のSOCとする。
【０１１１】
(1-2)電池制御装置の停止を監視装置の低消費電力モードに置き換え、装置内に別途設けたタイマー等で計測した時間を停止時間とする。停止中の電池温度とSOCは停止時もしくは再起動時のものとする。
【０１１２】
(1-3)電池制御装置の停止中の時間は、停止と再開時の電池の電圧差と自己放電量速度マップから監視装置が計算する。停止中の温度は装置停止もしくは再起動時の温度とする。
【０１１３】
(2)充放電SOC範囲が異なることによる劣化速度の違いを考慮して計算することができる。
【０１１４】
電池制御装置が電流を計測しておき、電流の大きさに応じて充放電中か充放電停止中かを判定する。さらに、充放電中は、充放電量からサイクル数もしくは充放電時間を計算し、かつ充放電中の最大、最小、平均SOC等を記録する。充放電中のSOC範囲に応じて劣化計算用のテーブルを変更することにより、充放電範囲が異なる場合に対応する。
【０１１５】
(3)抵抗上昇に伴う温度上昇幅の増大による劣化の加速も考慮して劣化推定することで、劣化推定精度が向上する。
【０１１６】
二次電池の使用環境温度や充放電範囲・回数に応じて変化する電池の劣化の進み方を計算することができ、電池を使用するシステム稼動への電池劣化の影響を減らすことができる。
【０１１７】
なお、電池制御装置１１０、２１０、３１０、４１０、５１０、６１０、７１０、及び上位システム２４０の各部の各処理をプロセッサーが実行してもよい。
【０１１８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１９】
１０１…電子、１１０…電池制御装置、１１１…電圧検出器、１１２…温度検出器、１１３…電流検出器、１２１…電圧測定部、１２２…温度測定部、１２３…電流測定部、１２４…ＳＯＣ算出部、１２５…平均ＳＯＣ算出部、１２６…平均温度算出部、１２７…サイクル数算出部、１２８…記憶装置、１２９…劣化計算部
【図１Ａ】
2015141500.tif 000003
【図１Ｂ】
2015141500.tif 000004
【図２】
2015141500.tif 000005
【図３】
2015141500.tif 000006
【図４Ａ】
2015141500.tif 000007
【図４Ｂ】
2015141500.tif 000008
【図４Ｃ】
2015141500.tif 000009
【図５】
2015141500.tif 000010
【図６Ａ】
2015141500.tif 000011
【図６Ｂ】
2015141500.tif 000012
【図７】
2015141500.tif 000013
【図８】
2015141500.tif 000014
【図９】
2015141500.tif 000015
【図１０】
2015141500.tif 000016
【図１１】
2015141500.tif 000017
【図１２】
2015141500.tif 000018
【図１３】
2015141500.tif 000019
【図１４】
2015141500.tif 000020
【図１５】
2015141500.tif 000021
【図１６】
2015141500.tif 000022
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
電池の充電状態を計算可能に構成された電池制御装置の停止時間を検出し、
設定充電状態及び設定温度に応じた電池の劣化を示す第１の劣化情報データベースに基づき、前記電池の自己放電量に応じて、第１又は第２の劣化情報を取得し、前記第１又は第２の劣化情報に基づき前記停止時間の前記電池の劣化を推定する方法であって、
前記第１の劣化情報は、前記電池制御装置の停止時の計算充電状態と、前記停止時間中に検出された前記電池に係る温度の最大値、最小値、及び平均値のいずれか１つとに対応する劣化情報であり、
前記第２の劣化情報は、前記電池制御装置の停止時の計算充電状態、前記電池制御装置の再起動時の計算充電状態、及び前記停止時の計算充電状態と前記再起動時の計算充電状態の平均充電状態のいずれか１つと、前記停止時間中に検出された前記電池に係る温度の最大値、最小値、及び平均値のいずれか１つとに対応する劣化情報である劣化推定方法。
【請求項２】
前記電池制御装置と通信可能に構成された停止監視装置が、前記電池制御装置の停止中の前記温度を検出し、前記電池制御装置の停止時刻及び再起動時刻から前記停止時間を検出し、前記電池制御装置の再起動後に前記電池制御装置に対して前記停止時間及び前記温度を通知する請求項１の劣化推定方法。
【請求項３】
前記電池制御装置は前記電池制御装置の停止中に動作可能なタイマーを備え、前記タイマーが前記停止時間を検出する請求項１の劣化推定方法。
【請求項４】
前記電池制御装置は、前記電池の自己放電量速度情報及び停止前の電池の電圧と再起動後の電池の電圧との差分電圧に基づき前記停止時間を検出する請求項１の劣化推定方法。
【請求項５】
前記電池制御装置は、前記電池の充放電による充電状態変動範囲を計算し前記温度を検出し、設定充電状態変動範囲及び設定温度に応じた電池の劣化を示す第２の劣化情報データベースに基づき、前記電池から計算された計算充電状態変動範囲及び前記温度に対応する劣化情報を取得し、取得された劣化情報に基づき前記電池の充放電中の劣化を推定する請求項１乃至４の何れか一つの劣化推定方法。
【請求項６】
前記電池制御装置は、前記劣化の推定に基づき劣化が閾値に到達した場合、電池劣化を示す情報を出力する請求項１乃至５の何れか一つの劣化推定方法。
【請求項７】
前記電池制御装置は、前記劣化の推定を含む前記電池の劣化傾向を検出し、検出された劣化傾向に基づき前記電池の寿命を予測する請求項１乃至６の何れか一つの劣化推定方法。
【請求項８】
前記電池制御装置は、前記計算充電状態及び前記温度に応じた一定期間における電池の使用条件を解析し、前記使用条件及び前記第１の劣化情報データベースに基づき、前記電池の劣化を推定する請求項１乃至７の何れか一つの劣化推定方法。
【請求項９】
電池の充電状態を計算可能に構成された電池制御装置の停止時間を検出し、
設定充電状態及び設定温度に応じた電池の劣化を示す第１の劣化情報データベースに基づき、前記電池から計算された計算充電状態及び前記電池に係る温度に対応する劣化情報を取得し、取得された劣化情報に基づき前記停止時間の前記電池の劣化を推定する方法であって、
前記電池制御装置は、前記計算充電状態と前記温度に対応する前記電池の内部抵抗の変化を示す内部抵抗データベースから充放電中の前記温度の上昇を推定し、前記第１の劣化情報データベースに基づき、前記計算充電状態と上昇の推定により得られる温度に対応する劣化情報を取得し、取得された劣化情報に基づき前記電池の劣化を推定する劣化推定方法。
【請求項１０】
都市名と環境温度との対応データに基づき、前記都市名の入力に対応して、前記都市名に対応する前記環境温度を設定する請求項９の劣化推定方法。
【請求項１１】
前記電池制御装置は、前記電池の充放電による前記電池の内部抵抗の変化に基づき充放電中の前記電池の温度上昇値を推定し、推定された温度上昇に基づき、前記電池の劣化を推定する請求項９の劣化推定方法。
【請求項１２】
電池の充電状態を計算可能に構成された電池制御装置と、
前記電池制御装置の停止時間を検出可能に構成された停止時間検出装置と、を備え、
前記電池制御装置は、設定充電状態及び設定温度に応じた電池の劣化を示す第１の劣化情報データベースに基づき、前記電池の自己放電量に応じて、第１又は第２の劣化情報を取得し、前記第１又は第２の劣化情報に基づき前記停止時間の前記電池の劣化を推定する方法であって、
前記第１の劣化情報は、前記電池制御装置の停止時の計算充電状態と、前記停止時間中に検出された前記電池に係る温度の最大値、最小値、及び平均値のいずれか１つとに対応する劣化情報であり、
前記第２の劣化情報は、前記電池制御装置の停止時の計算充電状態、前記電池制御装置の再起動時の計算充電状態、及び前記停止時の計算充電状態と前記再起動時の計算充電状態の平均充電状態のいずれか１つと、前記停止時間中に検出された前記電池に係る温度の最大値、最小値、及び平均値のいずれか１つとに対応する劣化情報である劣化推定システム。
【請求項１３】
電池の充電状態を計算可能に構成された電池制御装置の停止時間を検出する手順と、
設定充電状態及び設定温度に応じた電池の劣化を示す第１の劣化情報データベースに基づき、前記電池の自己放電量に応じて、第１又は第２の劣化情報を取得し、前記第１又は第２の劣化情報に基づき前記停止時間の前記電池の劣化を推定する手順と、をコンピュータに実行させるためのプログラムであって、
前記第１の劣化情報は、前記電池制御装置の停止時の計算充電状態と、前記停止時間中に検出された前記電池に係る温度の最大値、最小値、及び平均値のいずれか１つとに対応する劣化情報であり、
前記第２の劣化情報は、前記電池制御装置の停止時の計算充電状態、前記電池制御装置の再起動時の計算充電状態、及び前記停止時の計算充電状態と前記再起動時の計算充電状態の平均充電状態のいずれか１つと、前記停止時間中に検出された前記電池に係る温度の最大値、最小値、及び平均値のいずれか１つとに対応する劣化情報である劣化推定プログラム。
【請求項１４】
電池の充放電時間、充放電による充電状態変動範囲の最大値と最小値、充放電中の環境温度、及び充放電休止時間を含む電池の使用条件を解析する手順と、
充放電中の環境温度から電池温度を計算する手順と、
使用条件に基づいて劣化推定した内部抵抗を前記電池温度を計算する手順に反映させる手順と、
前記使用条件と前記計算した電池温度から使用条件マップを作成する手順と、
前記使用条件マップと電池の劣化を示す第１の劣化情報データベースに基づき前記電池の劣化を推定する手順と、
をコンピュータに実行させるための劣化推定プログラム。
【請求項１５】
前記電池に係る温度は、前記電池から検出された温度又は前記電池の環境温度である請求項１又は９に記載の劣化推定方法。
【請求項１６】
前記電池に係る温度は、前記電池から検出された温度又は前記電池の環境温度である請求項１２に記載の劣化推定システム。
【請求項１７】
前記電池に係る温度は、前記電池から検出された温度又は前記電池の環境温度である請求項１３に記載の劣化推定プログラム。
【手続補正２】
【補正対象書類名】明細書
【補正対象項目名】００２２
【補正方法】変更
【補正の内容】
【００２２】
［０１１１］
（１−２）電池制御装置の停止を監視装置の低消費電力モードに置き換え、装置内に別途設けたタイマー等で計測した時間を停止時間とする。停止中の電池温度とＳＯＣは停止時もしくは再起動時のものとする。
［０１１２］
（１−３）電池制御装置の停止中の時間は、停止と再開時の電池の電圧差と自己放電量速度マップから監視装置が計算する。停止中の温度は装置停止もしくは再起動時の温度とする。
［０１１３］
（２）充放電ＳＯＣ範囲が異なることによる劣化速度の違いを考慮して計算することができる。
［０１１４］
電池制御装置が電流を計測しておき、電流の大きさに応じて充放電中か充放電停止中かを判定する。さらに、充放電中は、充放電量からサイクル数もしくは充放電時間を計算し、かつ充放電中の最大、最小、平均ＳＯＣ等を記録する。充放電中のＳＯＣ範囲に応じて劣化計算用のテーブルを変更することにより、充放電範囲が異なる場合に対応する。
［０１１５］
（３）抵抗上昇に伴う温度上昇幅の増大による劣化の加速も考慮して劣化推定することで、劣化推定精度が向上する。
［０１１６］
二次電池の使用環境温度や充放電範囲・回数に応じて変化する電池の劣化の進み方を計算することができ、電池を使用するシステム稼動への電池劣化の影響を減らすことができる。
［０１１７］
なお、電池制御装置１１０、２１０、３１０、４１０、５１０、６１０、７１０、及び上位システム２４０の各部の各処理をプロセッサーが実行してもよい。
［０１１８］
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
以下、本願の出願当初の請求の範囲に記載された発明を付記する。
［Ｃ１］電池の充電状態を計算可能に構成された電池制御装置の停止時間を検出し、
設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する劣化推定方法。
［Ｃ２］前記電池制御装置と通信可能に構成された停止監視装置が、前記電池制御装置の停止中の前記環境温度を検出し、前記電池制御装置の停止時刻及び再起動時刻から前記停止時間を検出し、前記電池制御装置の再起動後に前記電池制御装置に対して前記停止時間及び前記環境温度を通知し、
前記電池制御装置は、停止前及び再起動後のうちの少なくとも一方で電池の充電状態を計算し、前記第１の劣化情報データベースに基づき、前記計算充電状態及び前記環境温度に対応する劣化情報を取得し、取得された劣化情報に基づき前記停止時間の前記電池の劣化を推定するＣ１の劣化推定方法。
［Ｃ３］前記電池制御装置は前記電池制御装置の停止中に動作可能なタイマーを備え、前記タイマーが前記停止時間を検出し、
前記電池制御装置は、停止前及び再起動後のうちの少なくとも一方で電池の充電状態及び温度を検出し、前記第１の劣化情報データベースに基づき、前記計算充電状態及び前記検出温度に対応する劣化情報を取得し、取得された劣化情報に基づき前記停止時間の前記電池の劣化を推定するＣ１の劣化推定方法。
［Ｃ４］前記電池制御装置は、前記電池の自己放電量速度情報及び停止前の電池の電圧と再起動後の電池の電圧との差分電圧に基づき前記停止時間を検出し、停止前及び再起動後のうちの少なくとも一方で電池の充電状態を計算し温度を検出し、前記第１の劣化情報データベースに基づき、前記計算充電状態及び前記検出温度に対応する劣化情報を取得し、取得された劣化情報に基づき前記停止時間の前記電池の劣化を推定するＣ１の劣化推定方法。
［Ｃ５］前記電池制御装置は、前記電池の充放電による充電状態変動範囲を計算し温度を検出し、設定充電状態変動範囲及び設定温度に応じた電池の劣化を示す第２の劣化情報データベースに基づき、前記電池から計算された計算充電状態変動範囲及び前記電池から検出された検出温度に対応する劣化情報を取得し、取得された劣化情報に基づき前記電池の充放電中の劣化を推定するＣ１乃至Ｃ４の何れか一つの劣化推定方法。
［Ｃ６］前記電池制御装置は、前記劣化の推定に基づき劣化が閾値に到達した場合、電池劣化を示す情報を出力するＣ１乃至Ｃ５の何れか一つの劣化推定方法。
［Ｃ７］前記電池制御装置は、前記劣化の推定を含む前記電池の劣化傾向を検出し、検出された劣化傾向に基づき前記電池の寿命を予測するＣ１乃至Ｃ６の何れか一つの劣化推定方法。
［Ｃ８］前記電池制御装置は、前記計算充電状態及び前記検出温度に応じた一定期間における電池の使用条件を解析し、前記使用条件及び前記第１の劣化情報データベースに基づき、前記電池の劣化を推定するＣ１乃至Ｃ７の何れか一つの劣化推定方法。
［Ｃ９］前記電池制御装置は、前記電池の充放電時間、充放電による充電状態変動範囲の最大値と最小値、充放電中の環境温度、及び充放電休止時間を含む電池の使用条件を解析し、前記使用条件と前記検出温度に対応する前記電池の内部抵抗の変化を示す内部抵抗データベースから充放電中の前記検出温度の上昇を推定し、前記使用条件及び前記第１の劣化情報データベースに基づき、前記電池の劣化を推定するＣ１乃至Ｃ７の何れか一つの劣化推定方法。
［Ｃ１０］都市名と環境温度との対応データに基づき、前記都市名の入力に対応して、前記都市名に対応する前記環境温度を設定するＣ９の劣化推定方法。
［Ｃ１１］前記電池制御装置は、前記電池の充放電による前記電池の内部抵抗の変化に基づき充放電中の前記電池の温度上昇値を推定し、推定された温度上昇に基づき、前記電池の劣化を推定するＣ９の劣化推定方法。
［Ｃ１２］電池の充電状態を計算可能に構成された電池制御装置と、
前記電池制御装置の停止時間を検出可能に構成された停止時間検出装置と、を備え、
前記電池制御装置は、設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する劣化推定システム。
［Ｃ１３］電池の充電状態を計算可能に構成された電池制御装置の停止時間を検出する手順と、
設定充電状態及び設定温度に応じた電池の劣化を示す第１の劣化情報データベースに基づき、前記電池から計算された計算充電状態及び前記電池から検出された検出温度に対応する劣化情報、又は前記計算充電状態及び環境温度に対応する劣化情報を取得し、取得された劣化情報に基づき前記停止時間の前記電池の劣化を推定する手順と、をコンピュータに実行させるための劣化推定プログラム。
［Ｃ１４］電池の充放電時間、充放電による充電状態変動範囲の最大値と最小値、充放電中の環境温度、及び充放電休止時間を含む電池の使用条件を解析する手順と、
充放電中の環境温度から電池温度を計算する手順と、
使用条件に基づいて劣化推定した内部抵抗を前記電池温度を計算する手順に反映させる手順と、
前記使用条件と前記計算した電池温度から使用条件マップを作成する手順と、
前記使用条件マップと電池の劣化を示す第１の劣化情報データベースに基づき前記電池の劣化を推定する手順と、
をコンピュータに実行させるための劣化推定プログラム。
符号の説明
【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
電池の充電状態を計算可能に構成された電池制御装置の停止時間を検出し、
設定充電状態及び設定温度に応じた電池の劣化を示す第１の劣化情報データベースに基づき、前記電池の自己放電量に応じて、第１又は第２の劣化情報を取得し、前記第１又は第２の劣化情報に基づき前記停止時間の前記電池の劣化を推定する方法であって、
前記第１の劣化情報は、前記電池制御装置の停止時の計算充電状態と、前記停止時間中に検出された前記電池に係る温度の最大値、最小値、及び平均値のいずれか１つとに対応する劣化情報であり、
前記第２の劣化情報は、前記電池制御装置の停止時の計算充電状態、前記電池制御装置の再起動時の計算充電状態、及び前記停止時の計算充電状態と前記再起動時の計算充電状態の平均充電状態のいずれか１つと、前記停止時間中に検出された前記電池に係る温度の最大値、最小値、及び平均値のいずれか１つとに対応する劣化情報である劣化推定方法。
【請求項２】
前記電池制御装置と通信可能に構成された停止監視装置が、前記電池制御装置の停止中の前記温度を検出し、前記電池制御装置の停止時刻及び再起動時刻から前記停止時間を検出し、前記電池制御装置の再起動後に前記電池制御装置に対して前記停止時間及び前記温度を通知する請求項１の劣化推定方法。
【請求項３】
前記電池制御装置は前記電池制御装置の停止中に動作可能なタイマーを備え、前記タイマーが前記停止時間を検出する請求項１の劣化推定方法。
【請求項４】
前記電池制御装置は、前記電池の自己放電量速度情報及び停止前の電池の電圧と再起動後の電池の電圧との差分電圧に基づき前記停止時間を検出する請求項１の劣化推定方法。
【請求項５】
前記電池制御装置は、前記電池の充放電による充電状態変動範囲を計算し前記温度を検出し、設定充電状態変動範囲及び設定温度に応じた電池の劣化を示す第２の劣化情報データベースに基づき、前記電池から計算された計算充電状態変動範囲及び前記温度に対応する劣化情報を取得し、取得された劣化情報に基づき前記電池の充放電中の劣化を推定する請求項１乃至４の何れか一つの劣化推定方法。
【請求項６】
前記電池制御装置は、前記劣化の推定に基づき劣化が閾値に到達した場合、電池劣化を示す情報を出力する請求項１乃至５の何れか一つの劣化推定方法。
【請求項７】
前記電池制御装置は、前記劣化の推定を含む前記電池の劣化傾向を検出し、検出された劣化傾向に基づき前記電池の寿命を予測する請求項１乃至６の何れか一つの劣化推定方法。
【請求項８】
前記電池制御装置は、前記計算充電状態及び前記温度に応じた一定期間における電池の使用条件を解析し、前記使用条件及び前記第１の劣化情報データベースに基づき、前記電池の劣化を推定する請求項１乃至７の何れか一つの劣化推定方法。
【請求項９】
電池の充電状態を計算可能に構成された電池制御装置の停止時間を検出し、
設定充電状態及び設定温度に応じた電池の劣化を示す第１の劣化情報データベースに基づき、前記電池から計算された計算充電状態及び前記電池に係る温度に対応する劣化情報を取得し、取得された劣化情報に基づき前記停止時間の前記電池の劣化を推定する方法であって、
前記電池制御装置は、前記計算充電状態と前記温度に対応する前記電池の内部抵抗の変化を示す内部抵抗データベースから充放電中の前記温度の上昇を推定し、前記第１の劣化情報データベースに基づき、前記計算充電状態と上昇の推定により得られる温度に対応する劣化情報を取得し、取得された劣化情報に基づき前記電池の劣化を推定する劣化推定方法。
【請求項１０】
都市名と環境温度との対応データに基づき、前記都市名の入力に対応して、前記都市名に対応する前記環境温度を設定する請求項９の劣化推定方法。
【請求項１１】
前記電池制御装置は、前記電池の充放電による前記電池の内部抵抗の変化に基づき充放電中の前記電池の温度上昇値を推定し、推定された温度上昇に基づき、前記電池の劣化を推定する請求項９の劣化推定方法。
【請求項１２】
電池の充電状態を計算可能に構成された電池制御装置と、
前記電池制御装置の停止時間を検出可能に構成された停止時間検出装置と、を備え、
前記電池制御装置は、設定充電状態及び設定温度に応じた電池の劣化を示す第１の劣化情報データベースに基づき、前記電池の自己放電量に応じて、第１又は第２の劣化情報を取得し、前記第１又は第２の劣化情報に基づき前記停止時間の前記電池の劣化を推定し、
前記第１の劣化情報は、前記電池制御装置の停止時の計算充電状態と、前記停止時間中に検出された前記電池に係る温度の最大値、最小値、及び平均値のいずれか１つとに対応する劣化情報であり、
前記第２の劣化情報は、前記電池制御装置の停止時の計算充電状態、前記電池制御装置の再起動時の計算充電状態、及び前記停止時の計算充電状態と前記再起動時の計算充電状態の平均充電状態のいずれか１つと、前記停止時間中に検出された前記電池に係る温度の最大値、最小値、及び平均値のいずれか１つとに対応する劣化情報である劣化推定システム。
【請求項１３】
電池の充電状態を計算可能に構成された電池制御装置の停止時間を検出する手順と、
設定充電状態及び設定温度に応じた電池の劣化を示す第１の劣化情報データベースに基づき、前記電池の自己放電量に応じて、第１又は第２の劣化情報を取得し、前記第１又は第２の劣化情報に基づき前記停止時間の前記電池の劣化を推定する手順と、をコンピュータに実行させるためのプログラムであって、
前記第１の劣化情報は、前記電池制御装置の停止時の計算充電状態と、前記停止時間中に検出された前記電池に係る温度の最大値、最小値、及び平均値のいずれか１つとに対応する劣化情報であり、
前記第２の劣化情報は、前記電池制御装置の停止時の計算充電状態、前記電池制御装置の再起動時の計算充電状態、及び前記停止時の計算充電状態と前記再起動時の計算充電状態の平均充電状態のいずれか１つと、前記停止時間中に検出された前記電池に係る温度の最大値、最小値、及び平均値のいずれか１つとに対応する劣化情報である劣化推定プログラム。
【請求項１４】
電池の充放電時間、充放電による充電状態変動範囲の最大値と最小値、充放電中の環境温度、及び充放電休止時間を含む電池の使用条件を解析する手順と、
充放電中の環境温度から電池温度を計算する手順と、
使用条件に基づいて劣化推定した内部抵抗を前記電池温度を計算する手順に反映させる手順と、
前記使用条件と前記計算した電池温度から使用条件マップを作成する手順と、
前記使用条件マップと電池の劣化を示す第１の劣化情報データベースに基づき前記電池の劣化を推定する手順と、
をコンピュータに実行させるための劣化推定プログラム。
【請求項１５】
前記電池に係る温度は、前記電池から検出された温度又は前記電池の環境温度である請求項１又は９に記載の劣化推定方法。
【請求項１６】
前記電池に係る温度は、前記電池から検出された温度又は前記電池の環境温度である請求項１２に記載の劣化推定システム。
【請求項１７】
前記電池に係る温度は、前記電池から検出された温度又は前記電池の環境温度である請求項１３に記載の劣化推定プログラム。
【手続補正２】
【補正対象書類名】明細書
【補正対象項目名】００３１
【補正方法】変更
【補正の内容】
【００３１】
（実施形態２）電池制御装置のタイマー（停止時間検出装置に相当）で時間計測（上位システムに頼らない）
図３に示すように、実施形態２に係る電池制御システムの一例を示すブロック図である。図３に示すように、電池制御システムは、電池制御装置３１０を備え、電池制御装置３１０は、電圧検出器３１１、温度検出器３１２、電流検出器３１３、電圧測定部３２１、電流測定部３２３、ＳＯＣ算出部３２４、平均ＳＯＣ算出部３２５、平均温度算出部３２６、サイクル数算出部３２７、記憶装置３２８、劣化計算部３２９、タイマー３４０、時間計算部３４１を備える。
【国際調査報告】
2015141500.tif 000023
2015141500.tif 000024
2015141500.tif 000025
2015141500.tif 000026